(57)【要約】      （修正有）【課題】着用者の脛に密着して、位置がずれることがなく、プレーに集中できるような脛サポータを提供する。【解決手段】装着時に断面円弧状である脛サポータであって、この脛サポータの横断面円弧の頂部をつなぐ仮想線１３は着用者の内股から外側に張り出そうとする方向に穏やかに張り出している縦方向カーブを形成している。この脛サポータはハードタイプでもソフトタイプでもよい。ハードタイプの表面側樹脂板１１及びソフトタイプのスポンジ層には縦方向カーブに沿ってスリットを設けることが好ましい。【選択図】図４
2015033398.tif 000002
【特許請求の範囲】
【請求項１】
装着時に断面円弧状である脛サポータであって、
前記脛サポータの前記横断面円弧の頂部をつなぐ仮想線（１３）が着用者の内股から外側に張り出そうとする方向に穏やかに張り出している縦方向カーブを形成しており、
前記縦方向カーブは着用者の脛骨の先端線とほぼ等しいものであることを特徴とする脛サポータ。
【請求項２】
前記脛サポータが断面円弧状の表面側樹脂板（１１）とその裏面側のクッション部材（１２）を有するハードタイプのものである請求項１記載の脛サポータ。
【請求項３】
前記表面側樹脂板（１１）の外側、内側、内外両方のいずれかに前記縦方向カーブに沿って、スリット（４４）を設けた請求項２記載の脛サポータ。
【請求項４】
前記クッション部材（１２）の表面上に空気流通溝（１７）を形成した請求項２又は３に記載の脛サポータ。
【請求項５】
前記脛サポータが、装着時に断面円弧状となるスポンジ層（４１）とその表裏に設けられた伸縮性のある生地（４２，４３）を有するソフトタイプのものである請求項１記載の脛サポータ。
【請求項６】
前記スポンジ層（４１）の外側、内側、内外両方のいずれかに前記縦方向カーブに沿って、スリット（４５）を設けた請求項５記載の脛サポータ。
【請求項７】
前記脛サポータの前記横断面円弧の頂部をつなぐ前記仮想線（１３）を境にして、その外側円弧と前記仮想線（１３）とが形成する角度（β1、β2、β3）は、その内側円弧と前記仮想線（１３）とが形成する角度（α1、α2、α3）よりも大である請求項１〜６のいずれかに記載の脛サポータ。
【発明の詳細な説明】
【技術分野】
【０００１】
本発明は脛サポータに関し、特にサッカー競技において脛を保護するために着用する脛サポータに関する。別名、シンガード、脛ガード、レッグガード、レガースとも呼ばれる。
【背景技術】
【０００２】
脛サポータは、多種多様なものが考案され、市販されている。多くは、左右兼用であって、左右いずれの脛にも使用可能なものである。
【０００３】
左右非対称のものも、例えば実用新案登録第３０５１１０４号に見られるように存在するが、脛サポータの横断面円弧の頂部をつなぐ仮想線（詳細は後述）が中央部を縦方向にまっすぐ走っている。
【０００４】
このような脛サポータは人体の構造に適合しておらず、そのため、必ずしも脛に密着せず、激しい運動に伴って位置がずれて着用者に違和感を与えることがある。その結果、装着を嫌がったり、ゲームに集中できなかったりすることがある。
【先行技術文献】
【特許文献】
【０００５】
【特許文献１】実用新案登録第３０５１１０４号
【発明の概要】
【発明が解決しようとする課題】
【０００６】
本発明はこの問題を解決するために行われたもので、着用者の脛に密着して、位置がずれることがなく、プレーに集中できるような脛サポータを提供することを目的とする。
【０００７】
さらに付加的な目的として、軽量であること、手入れが簡単であること、臭いにおいが付きにくいことも同時に解決することがあげられる。
【課題を解決するための手段】
【０００８】
本発明の脛サポータは、装着時に断面円弧状である脛サポータであって、前記脛サポータの前記横断面円弧の頂部をつなぐ仮想線が着用者の内股から外側に張り出そうとする方向に穏やかに張り出している縦方向カーブを形成しており、前記縦方向カーブは着用者の脛骨の先端線とほぼ等しいものであることを特徴とする（請求項１）。
【０００９】
前記脛サポータは、断面円弧状の表面側樹脂板とその裏面側のクッション部材を有するハードタイプのものでもよいし、装着時に断面円弧状となるスポンジ層とその表裏に設けられた伸縮性のある生地を有するソフトタイプのものであってもよい（請求項２、５）。
【００１０】
ハードタイプのとき、前記表面側樹脂板の外側（ストッキング側）、内側（人体側）、内外両方のいずれかに前記縦方向カーブに沿って、スリットを設けることが好ましい（請求項３）。
【００１１】
またハードタイプのとき、前記クッション部材の表面上に空気流通溝を形成することもできる（請求項４）。
【００１２】
ソフトタイプのとき、前記スポンジ層の外側（ストッキング側）、内側（人体側）、内外両方のいずれかに前記縦方向カーブに沿って、スリットを設けることが好ましい（請求項６）。
【００１３】
さらに前記脛サポータの前記横断面円弧の頂部をつなぐ前記仮想線を境にして、その外側円弧と前記仮想線とが形成する角度は、その内側円弧と前記仮想線とが形成する角度よりも大であることが好ましい（請求項７）。
【発明の効果】
【００１４】
本発明の脛サポータは、脛の形状に適合するように、人間工学に基づいて考案された三次元構造の輪郭を有するので、激しい運動をしても位置がずれることはない。
【００１５】
請求項３のハードタイプ脛サポータでは表面側樹脂板の外側、内側、内外両方のいずれかに前記縦方向カーブに沿って、スリットを設けられているので、さらに人体に密着しやすくなる。請求項６のソフトタイプ脛サポータでは、前記スポンジ層の外側、内側、内外両方のいずれかに前記縦方向カーブに沿って、スリットを設けているので同様の効果が得られる。
【００１６】
請求項４の脛サポータは、空気流通溝を有するので、重量軽減、衝撃緩和、蒸れ防止、悪臭防止に寄与する。
【００１７】
以下、添付の図面に基づき、本発明の実施例を説明する。
【図面の簡単な説明】
【００１８】
【図１】本発明の脛サポータを着用している人の左足正面図である。
【図２】脛サポータの（ａ）右側面図、（ｂ）正面図、（ｃ）左側面図、（ｄ）背面図、（ｅ）平面図、（ｆ）底面図、（ｇ）上記（ｂ）におけるｇ−ｇ断面図である。
【図３】図１におけるIII―III線横断面図である。
【図４】脛サポータの上部、中央、下部における横断面を表した合成図である。
【図５】実施例２の脛サポータの上部、中央、下部における横断面を表した合成図である。
【図６】実施例３の脛サポータの上部、中央、下部における横断面を表した合成図である。
【図７】実施例５の脛サポータの背面図であり、クッション部材を正面から見た図である。
【図８】実施例６の脛サポータの上部、中央、下部における横断面を表した合成図である。
【図９】実施例７の脛サポータの上部、中央、下部における横断面を表した合成図である。
【実施例１】
【００１９】
よく知られているように、脛サポータにはハードタイプとソフトタイプがある。ハードタイプは、硬質樹脂板とその裏面に設けられたクッション材であるスポンジ層からなり、軽量性・耐久性に優れると共に、衝撃吸収力・強度が高い。ソフトタイプは、硬質樹脂層がなく、スポンジ層を本体として表面を伸縮性のある生地で覆ってなるもので、軽量性・柔軟性に優れるが、ハードタイプに比べると衝撃吸収性に劣る。後者は比較的に安価で主に練習用に使用される。本発明思想はこれらソフトタイプとハードタイプの両方に適用することができる。
【００２０】
実施例１はハードタイプの脛サポータに関するものである。図１の点線に示すように、本実施例の脛サポータ１はストッキング２の内側に配置される。ベルトは通常、必要ないが、つけることはできる。左足用のみ示しているが右足用は左足用と対称である。
【００２１】
この脛サポータ１の表面は、ナイロン樹脂、塩化ビニル樹脂、ポリプロピレン樹脂などで成形された、厚さ２〜４ｍｍの、断面円弧状樹脂板１１である。裏面は衝撃を緩和させるためのクッション部材１２であり、素材としては発泡樹脂、特に発泡ポリエチレンが好ましい。輪郭は左右非対称であり、内股側１４の高さが低く、外股側１５の高さが高く、高さ方向の中間部１６がくびれているので、蝶ネクタイを縦にしたような外形を有する。
【００２２】
この脛サポータ１の特徴は、図２〜４に示すように、脛の形状に適合するように、人間工学に基づいて考案された三次元構造の輪郭にある。
【００２３】
人体の左足脛部３の横断面は図３に示すようなもので、断面形状がおにぎりのような脛骨３１が前面側の皮膚３２の直下に位置している。そしてその横及び後ろに前脛骨筋３３、後脛骨筋３４、腓腹筋３５、ひらめ筋３６などの筋肉が位置している。脛骨３１はまっすぐではなく、図４に一点鎖線で示すように、なだらかな曲線を描いている。
【００２４】
このような複雑な形状の脛部に適合させるため、本実施例の脛サポータは、図３、図４に示すような、立体的三次元構造としており、次のような特徴を有する。人により足の形状には多少の個人差はあるであろうが、本発明は下記（１）の要素を必ず有している。同時に下記（２）及び（３）の要素も有していることが望ましい。
【００２５】
（１）脛サポータの横断面円弧の頂部をつなぐ仮想線１３は脛骨３１の先端線とほぼ等しい縦方向カーブを有する。このカーブは内股から外側に張り出そうとする方向に緩やかな曲線となっている。
【００２６】
（２）脛サポータの横断面円弧の頂部をつなぐ仮想線１３の外側は、前記横断面円弧が穏やかな横方向カーブを形成し、前記仮想線１３との角度（β1、β2、β3）が下記（３）の角度（α1、α2、α3）よりも大である。
【００２７】
（３）脛サポータの横断面円弧の頂部をつなぐ仮想線１３の内側は、前記横断面円弧が平面に近い横方向カーブを形成し、前記仮想線１３との角度が（α1、α2、α3）が上記（２）の角度（β1、β2、β3）よりも小である。
【実施例２】
【００２８】
図５は実施例２を示している。この実施例２が実施例１と異なるのは、脛サポータの横断面円弧の頂部をつなぐ仮想線１３に沿って、樹脂板１１の外部側（ストッキング側）にスリット１７を形成していることだけである。このスリット１７のために樹脂板１１がその部分で薄くなり、そこを境目にして樹脂板１１が曲がりやすくなる。そのため脛サポータが着用者の足に密着する。スリットは図面では２本描いているが１本〜５本程度でもよい。
【実施例３】
【００２９】
図６は実施例３を示している。この実施例３が実施例１と異なるのは、脛サポータの横断面円弧の頂部をつなぐ仮想線１３に沿って、樹脂板１１の内部側（人体側）にスリット１８を形成していることだけである。このスリット１８のために樹脂板１１がその部分で薄くなり、そこを境目にして樹脂板１１が曲がりやすくなる。そのため脛サポータが着用者の足に密着する。スリットは図面では２本描いているが１本〜５本程度でもよい。
【実施例４】
【００３０】
図示しないが、樹脂板１１の外部側のスリット１７（実施例２）と樹脂板１１の内部側のスリット１８（実施例３）の両方を設けることもできる。
【実施例５】
【００３１】
実施例１〜４において、クッション部材１２と足の密着が続くと蒸れやすくなるので、図７に示すように、クッション部材１２の人体側に空気流通溝１９を形成することができる。この空気流通溝１９は重量軽減及び衝撃緩和にも寄与する。
【実施例６】
【００３２】
図８は実施例６を示している。この実施例はソフトタイプの脛サポータである。前述のとおり、ソフトタイプは硬質樹脂層がなく、スポンジ層４１を本体として表面を伸縮性のある生地４２、４３で表裏を覆って形成されている。スポンジ層としては硬度５０〜９０（デュロメータ）のＥＶＡが好ましい。伸縮性のある生地はポリエステルのトリコット編のメッシュシートが好ましい。また、この生地にはそれ自体公知の手段により消臭性、吸湿性を持たせることが好ましい。
【００３３】
外形輪郭は実施例１〜５と同じである。実施例６の特徴は、脛サポータの横断面円弧の頂部をつなぐ仮想線１３に沿って、スポンジ層４１の外部側（ストッキング側）にスリット４４を形成していることである。スリットの深さは全体のスポンジ層の１／３〜１／２程度である。このスリット４４のためにスポンジ層４１がその部分で薄くなり、そこを境目にしてスポンジ層４１が曲がりやすくなる。そのため脛サポータが着用者の足に密着する。スリット４４は図面では２本描いているが１本〜５本程度でもよい。また、スリット４４は、伸縮性のある生地４２を貼り付ける前に形成してもよいし、貼り付けた後に形成してもよい。前者ではスリット４４は外部から見えないが、後者では見える。
【実施例７】
【００３４】
図９は実施例７を示している。この実施例もソフトタイプの脛サポータである。外形輪郭は実施例１〜６と同じである。実施例７の特徴は、脛サポータの横断面円弧の頂部をつなぐ仮想線１３に沿って、スポンジ層４１の内部側（人体側）にスリット４５を形成していることである。スリットの深さは全体のスポンジ層の１／３〜１／２程度である。このスリット４５のためにスポンジ層４１がその部分で薄くなり、そこを境目にしてスポンジ層４１が曲がりやすくなる。そのため脛サポータが着用者の足に密着する。スリットは図面では２本描いているが１本〜５本程度でもよい。また、スリット４５は、伸縮性のある生地４３を貼り付ける前に形成してもよいし、貼り付けた後に形成してもよい。前者ではスリットは外部から見えないが、後者では見える。
【実施例８】
【００３５】
図示しないが、スポンジ層４１の外部側のスリット４４（実施例６）とスポンジ層４１の内部側のスリット４５（実施例７）の両方を設けることもできる。
【００３６】
なお、実施例６〜８において、ソフトタイプの脛サポータはスポンジ層が主体であるため、自然状態では横断面が円弧とならず、平板に近くなりやすい。「横断面円弧の頂部をつなぐ仮想線１３」というのは装着時の形状をいうものとする。
【符号の説明】
【００３７】
１     脛サポータ
１１   断面円弧状樹脂板
１２   クッション部材
１３   仮想線
１４   内股側
１５   外股側
１６   中間部
１７  外側のスリット
１８  内側のスリット
１９  空気流通溝
２     ストッキング
３     左足脛部
３１   脛骨
３２   皮膚
３３   前脛骨筋
３４   後脛骨筋
３５   腓腹筋
３６   ひらめ筋
４１     スポンジ層
４２     伸縮性のある生地
４４  外側のスリット
４５     内側のスリット
【図１】
2015033398.tif 000003
【図２】
2015033398.tif 000004
【図３】
2015033398.tif 000005
【図４】
2015033398.tif 000006
【図５】
2015033398.tif 000007
【図６】
2015033398.tif 000008
【図７】
2015033398.tif 000009
【図８】
2015033398.tif 000010
【図９】
2015033398.tif 000011